【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
中心孔を有する円盤状の磁気記録媒体を液体潤滑剤の入った浸漬槽に浸漬した後、この浸漬槽から磁気記録媒体を引き上げることによって、磁気記録媒体の表面に潤滑剤膜を形成する磁気記録媒体の製造装置であって、
前記磁気記録媒体の中心孔に挿通されて当該磁気記録媒体を吊り下げた状態で支持するハンガー機構と、
前記ハンガー機構と前記浸漬槽との何れか一方を他方に対して昇降操作する昇降機構とを備え、
前記ハンガー機構は、その上端部が前記磁気記録媒体の内周部と当接される支持プレートと、前記支持プレートの外側において当該支持プレートと平行に並ぶ防波プレートとを有し、
前記防波プレートの上端部は、前記支持プレートの上端部よりも下方に位置して、前記磁気記録媒体の内周部との間に間隙を形成すると共に、前記磁気記録媒体の内周部と前記支持プレートとの間の隙間に溜まった液溜まりが液切れするときの液面高さよりも上方に位置することを特徴とする磁気記録媒体の製造装置。
【請求項２】
前記ハンガー機構は、その上端部が前記磁気記録媒体の内周部と当接される一対の支持プレートと、前記一対の支持プレートの外側において当該支持プレートと平行に並ぶ一対の防波プレートとを有することを特徴とする請求項１に記載の磁気記録媒体の製造装置。
【請求項３】
前記支持プレートの上端部には、前記磁気記録媒体の内周部が係合される溝部が設けられていることを特徴とする請求項１又は２に記載の磁気記録媒体の製造装置。
【請求項４】
前記溝部の底部には、前記支持プレートを鉛直下向きに切り欠くスリットが設けられていることを特徴とする請求項３に記載の磁気記録媒体の製造装置。
【請求項５】
前記ハンガー機構は、前記磁気記録媒体を複数並べた状態で支持することを特徴とする請求項１〜４の何れか一項に記載の磁気記録媒体の製造装置。
【請求項６】
中心孔を有する円盤状の磁気記録媒体を、その中心孔に挿通させたハンガー機構に吊り下げられて支持された状態とし、
前記ハンガー機構と液体潤滑剤の入った浸漬槽との何れか一方を他方に対して昇降操作する昇降機構を用いて、前記磁気記録媒体を前記浸漬槽内に移動させて前記液体潤滑剤に浸漬し、
再度、前記昇降機構を用いて前記浸漬槽から前記磁気記録媒体を引き上げて、前記磁気記録媒体の表面に潤滑剤膜を形成し、
前記ハンガー機構として、上端部が前記磁気記録媒体の内周部と当接される支持プレートと、前記支持プレートの外側において当該支持プレートと平行に並ぶ防波プレートとを有しており、前記防波プレートの上端部が、前記支持プレートの上端部よりも下方に位置して、前記磁気記録媒体の内周部との間に間隙を形成すると共に、前記磁気記録媒体の内周部と前記支持プレートとの間の隙間に溜まった液溜まりが液切れするときの液面高さよりも上方に位置しているものを用いることを特徴とする磁気記録媒体の製造方法。
【請求項７】
前記ハンガー機構として、その上端部が前記磁気記録媒体の内周部と当接される一対の支持プレートと、前記一対の支持プレートの外側において当該支持プレートと平行に並ぶ一対の防波プレートとを有するものを用いることを特徴とする請求項６に記載の磁気記録媒体の製造方法。
【請求項８】
前記支持プレートとして、その上端部に、前記磁気記録媒体の内周部が係合される溝部が設けられているものを用いることを特徴とする請求項６又は７に記載の磁気記録媒体の製造方法。
【請求項９】
前記溝部として、その底部に、前記支持プレートを鉛直下向きに切り欠くスリットが設けられている前記支持プレートを用いることを特徴とする請求項８に記載の磁気記録媒体の製造方法。
【請求項１０】
前記ハンガー機構として、前記磁気記録媒体を複数並べた状態で支持するものを用いることを特徴とする請求項６〜９の何れか一項に記載の磁気記録媒体の製造方法。
【手続補正２】
【補正対象書類名】明細書
【補正対象項目名】発明の名称
【補正方法】変更
【補正の内容】
【発明の名称】磁気記録媒体の製造装置及び製造方法
【手続補正３】
【補正対象書類名】明細書
【補正対象項目名】０００１
【補正方法】変更
【補正の内容】
【０００１】
本発明は、中心孔を有する円盤状の磁気記録媒体を液体潤滑剤の入った浸漬槽に浸漬した後、この浸漬槽から磁気記録媒体を引き上げることによって、磁気記録媒体の表面に潤滑剤膜を形成する磁気記録媒体の製造装置及び製造方法に関する。
【手続補正４】
【補正対象書類名】明細書
【補正対象項目名】００１３
【補正方法】変更
【補正の内容】
【００１３】
上記目的を達成するために、本発明は、以下の手段を提供する。
（１）  中心孔を有する円盤状の磁気記録媒体を液体潤滑剤の入った浸漬槽に浸漬した後、この浸漬槽から磁気記録媒体を引き上げることによって、磁気記録媒体の表面に潤滑剤膜を形成する磁気記録媒体の製造装置であって、
前記磁気記録媒体の中心孔に挿通されて当該磁気記録媒体を吊り下げた状態で支持するハンガー機構と、
前記ハンガー機構と前記浸漬槽との何れか一方を他方に対して昇降操作する昇降機構とを備え、
前記ハンガー機構は、その上端部が前記磁気記録媒体の内周部と当接される支持プレートと、前記支持プレートの外側において当該支持プレートと平行に並ぶ防波プレートとを有し、
前記防波プレートの上端部は、前記支持プレートの上端部よりも下方に位置して、前記磁気記録媒体の内周部との間に間隙を形成すると共に、前記磁気記録媒体の内周部と前記支持プレートとの間の隙間に溜まった液溜まりが液切れするときの液面高さよりも上方に位置することを特徴とする磁気記録媒体の製造装置。
（２）  前記ハンガー機構は、その上端部が前記磁気記録媒体の内周部と当接される一対の支持プレートと、前記一対の支持プレートの外側において当該支持プレートと平行に並ぶ一対の防波プレートとを有することを特徴とする前項（１）に記載の磁気記録媒体の製造装置。
（３）  前記支持プレートの上端部には、前記磁気記録媒体の内周部が係合される溝部が設けられていることを特徴とする前項（１）又は（２）に記載の磁気記録媒体の製造装置。
（４）
前記溝部の底部には、前記支持プレートを鉛直下向きに切り欠くスリットが設けられていることを特徴とする前項（３）に記載の磁気記録媒体の製造装置。
（５）  前記ハンガー機構は、前記磁気記録媒体を複数並べた状態で支持することを特徴とする前項（１）〜（４）の何れか一項に記載の磁気記録媒体の製造装置。
（６）  中心孔を有する円盤状の磁気記録媒体を、その中心孔に挿通させたハンガー機構に吊り下げられて支持された状態とし、
前記ハンガー機構と液体潤滑剤の入った浸漬槽との何れか一方を他方に対して昇降操作する昇降機構を用いて、前記磁気記録媒体を前記浸漬槽内に移動させて前記液体潤滑剤に浸漬し、
再度、前記昇降機構を用いて前記浸漬槽から前記磁気記録媒体を引き上げて、前記磁気記録媒体の表面に潤滑剤膜を形成し、
前記ハンガー機構として、上端部が前記磁気記録媒体の内周部と当接される支持プレートと、前記支持プレートの外側において当該支持プレートと平行に並ぶ防波プレートとを有しており、前記防波プレートの上端部が、前記支持プレートの上端部よりも下方に位置して、前記磁気記録媒体の内周部との間に間隙を形成すると共に、前記磁気記録媒体の内周部と前記支持プレートとの間の隙間に溜まった液溜まりが液切れするときの液面高さよりも上方に位置しているものを用いることを特徴とする磁気記録媒体の製造方法。
（７）  前記ハンガー機構として、その上端部が前記磁気記録媒体の内周部と当接される一対の支持プレートと、前記一対の支持プレートの外側において当該支持プレートと平行に並ぶ一対の防波プレートとを有するものを用いることを特徴とする前項（６）に記載の磁気記録媒体の製造方法。
（８）  前記支持プレートとして、その上端部に、前記磁気記録媒体の内周部が係合される溝部が設けられているものを用いることを特徴とする前項（６）又は（７）に記載の磁気記録媒体の製造方法。
（９）  前記溝部として、その底部に、前記支持プレートを鉛直下向きに切り欠くスリットが設けられている前記支持プレートを用いることを特徴とする前項（８）に記載の磁気記録媒体の製造方法。
（１０）  前記ハンガー機構として、前記磁気記録媒体を複数並べた状態で支持するものを用いることを特徴とする前項（６）〜（９）の何れか一項に記載の磁気記録媒体の製造方法。